(57)【要約】【課題】簡素な機構により紫外線ランプの保護管を清掃する紫外線照射装置を提供する。【解決手段】軸方向の両端が閉塞された筒状の容器１と、容器に接続され、容器に紫外線処理の対象の液体を供給する供給管と、容器に接続され、容器から液体を排出させる排出管と、容器内に軸方向に延在し、かつ紫外線を透過させる保護管４と、保護管の内部に配置された紫外線ランプ５と、磁石を有し、容器の内周面１ｄに沿って軸方向に移動自在な内側部材６と、保護管の外周面に対して軸方向に摺動可能であり、かつ内側部材と接続された清掃部材７と、容器の外周面１ａに配置され、かつ磁石を有し、内側部材との間で作用する磁力によって内側部材を軸方向に移動させる外側部材８とを持つ。【選択図】図４
2014061491.tif 000002
【特許請求の範囲】
【請求項１】
軸方向の両端が閉塞された筒状の容器と、
前記容器に接続され、前記容器に紫外線処理の対象の液体を供給する供給管と、
前記容器に接続され、前記容器から前記液体を排出させる排出管と、
前記容器内に軸方向に延在し、かつ紫外線を透過させる保護管と、
前記保護管の内部に配置された紫外線ランプと、
磁石を有し、前記容器の内周面に沿って軸方向に移動自在な内側部材と、
前記保護管の外周面に対して軸方向に摺動可能であり、かつ前記内側部材と接続された清掃部材と、
前記容器の外周面に配置され、かつ磁石を有し、前記内側部材との間で作用する磁力によって前記内側部材を軸方向に移動させる外側部材と、
を備える紫外線照射装置。
【請求項２】
前記容器は、非磁性材料からなるものであり、
前記外側部材は、前記容器の外周面に沿って軸方向に移動することにより、前記内側部材を軸方向に移動させる
請求項１に記載の紫外線照射装置。
【請求項３】
前記外側部材は、軸方向に連続的に配置された複数の電磁石を有し、前記複数の電磁石を制御して発生させる磁力により前記内側部材を軸方向に移動させる
請求項１に記載の紫外線照射装置。
【請求項４】
前記容器と前記内側部材との相対回転を規制し、かつ前記内側部材を軸方向に案内する案内部を有する
請求項１から３のいずれか１項に記載の紫外線照射装置。
【請求項５】
前記供給管および前記排出管は、前記容器の外周面に対して接続されており、
前記外側部材は、軸方向に移動するときに前記供給管および前記排出管が通過可能な切欠部を有する
請求項１から４のいずれか１項に記載の紫外線照射装置。
【発明の詳細な説明】
【技術分野】
【０００１】
本発明の実施形態は、紫外線照射装置に関する。
【背景技術】
【０００２】
従来、紫外線照射装置の保護管を清掃する装置がある。
【先行技術文献】
【特許文献】
【０００３】
【特許文献１】特開２００７−１８１８２８号公報
【発明の概要】
【発明が解決しようとする課題】
【０００４】
被処理液体が流通する容器と、容器内に配置され、内部に紫外線ランプを有する保護管とを備えた紫外線照射装置において、保護管を清掃する機構を簡素化できることが望まれている。例えば、保護管を清掃する機構は、容器の内部に回転軸を要しないことが好ましい。
【０００５】
本発明の目的は、簡素な機構により紫外線ランプの保護管を清掃する紫外線照射装置を提供することである。
【課題を解決するための手段】
【０００６】
実施形態の紫外線照射装置は、軸方向の両端が閉塞された筒状の容器と、前記容器に接続され、前記容器に紫外線処理の対象の液体を供給する供給管と、前記容器に接続され、前記容器から前記液体を排出させる排出管と、前記容器内に軸方向に延在し、かつ紫外線を透過させる保護管と、前記保護管の内部に配置された紫外線ランプと、磁石を有し、前記容器の内周面に沿って軸方向に移動自在な内側部材と、前記保護管の外周面に対して軸方向に摺動可能であり、かつ前記内側部材と接続された清掃部材と、前記容器の外周面に配置され、かつ磁石を有し、前記内側部材との間で作用する磁力によって前記内側部材を軸方向に移動させる外側部材とを持つ。
【図面の簡単な説明】
【０００７】
【図１】第１実施形態に係る紫外線照射装置の側面図である。
【図２】第１実施形態に係る紫外線照射装置の正面図である。
【図３】第１実施形態に係る紫外線照射装置の断面図である。
【図４】第１実施形態に係る紫外線照射装置の要部を示す断面図である。
【図５】外側部材の他の一例を示す断面図である。
【図６】第１実施形態の変形例に係る紫外線照射装置の側面図である。
【図７】第１実施形態の変形例に係る紫外線照射装置の要部を示す断面図である。
【図８】第２実施形態に係る紫外線照射装置の側面図である。
【図９】第３実施形態に係る紫外線照射装置の斜視図である。
【図１０】第３実施形態に係る紫外線照射装置の側面図である。
【発明を実施するための形態】
【０００８】
以下に、実施形態に係る紫外線照射装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【０００９】
［第１実施形態］
図１から図５を参照して、第１実施形態について説明する。本実施形態は、紫外線照射装置に関する。図１は、第１実施形態に係る紫外線照射装置の側面図（断面図）、図２は、第１実施形態に係る紫外線照射装置の正面図、図３は、第１実施形態に係る紫外線照射装置の断面図、図４は、第１実施形態に係る紫外線照射装置の要部を示す断面図である。
【００１０】
図１乃至図４に示す紫外線照射装置１−１は、容器１と、供給管２と、排出管３と、保護管４と、紫外線ランプ５と、内側部材６と、清掃部材７と、外側部材８とを含んで構成されている。
【００１１】
容器１は、リアクタであり、軸方向の両端が閉塞された筒状の容器である。本実施形態に係る容器１は、円筒形状である。容器１の材質は、磁石が付きにくい非磁性材料、例えば、ＳＵＳ３１６、ＳＵＳ３０４等の３００番台の非磁性ステンレスやアルミニウム等であることが好ましい。容器１は、処理槽であり、紫外線処理の対象の液体が内部に供給されて流通する。本実施形態では、対象の液体が、地下水、水道水、工業用水、下水、海水、養殖用水、再生水等の水である場合を例に説明する。本明細書では、紫外線処理の対象の水を被処理水と称する。
【００１２】
供給管２は、容器１に接続され、容器１に被処理水を供給する。供給管２は、容器１の外周面１ａの上部に接続されており、外周面１ａに対して半径方向の外側に向けて延在している。供給管２は、容器１の軸方向の一方の端部に接続されている。
【００１３】
排出管３は、容器１に接続され、容器１から被処理水を排出させる。排出管３は、容器１の外周面１ａの上部に接続されており、外周面１ａに対して半径方向の外側に向けて延在している。排出管３は、容器１の軸方向の他方の端部、すなわち、供給管２が接続された側と反対側の端部に接続されている。図２に示すように、容器１の軸方向視において供給管２と排出管３とは重なっている。以下の説明において、軸方向における供給管２が接続された側を「入口側」、排出管３が接続された側を「出口側」と記載する。
【００１４】
保護管４は、容器１内に軸方向に延在し、かつ紫外線を透過させる。保護管４は、例えば、石英管であり、内部に配置される紫外線ランプ５を保護する。保護管４は、管状、例えば円筒形状の部材である。保護管４の端部は、入口側壁部１ｂおよび出口側壁部１ｃにそれぞれ固定されている。入口側壁部１ｂは、容器１の入口側の端部を閉塞する壁部である。出口側壁部１ｃは、容器１の出口側の端部を閉塞する壁部である。入口側壁部１ｂおよび出口側壁部１ｃは、それぞれ貫通孔を有しており、保護管４はこの貫通孔に嵌合している。保護管４と貫通孔との間は、水密にシールされている。本実施形態では、４本の保護管４が容器１内に互いに平行に配置されている。
【００１５】
図４に示すように、紫外線ランプ５は、保護管４の内部に配置されている。本実施形態に係る紫外線ランプ５は、円筒形状をなしている。紫外線ランプ５は、容器１の軸方向の一方の端部から他方の端部まで延在している。紫外線ランプ５が照射する紫外線は、保護管４を透過し、容器１内の被処理水を紫外線処理する。紫外線照射装置１−１は、被処理水の殺菌、不活化、有機物分解などの紫外線処理を行う。
【００１６】
紫外線照射装置１−１は、保護管４の外周面を清掃する清掃部材７を有している。紫外線照射装置１−１では、紫外線ランプ５から発生する熱等により、被処理水に含まれる汚れが保護管４に付着する。保護管４に汚れが付着したままであると、紫外線ランプ５から放射される紫外線の透過率が下がり、紫外線処理効率が低下してしまう。
【００１７】
清掃部材７は、保護管４の外周面を清掃し、付着した汚れを除去するものである。清掃部材７は、保護管４の外周面に対して軸方向に摺動可能である。清掃部材７は、例えば、ゴムやテフロン（登録商標）等の樹脂で形成されている。清掃部材７は、円筒形状に形成されており、その内周面が保護管４の外周面と接している。清掃部材７の内周面は、平滑な面である。なお、清掃部材７は、リング形状をなすブラシ状の部材等であってもよい。
【００１８】
内側部材６は、磁石を有し、容器１の内周面１ｄに沿って軸方向に移動自在なものである。内側部材６は、例えば、筒状の部材であり、本実施形態では円筒形状をなしている。内側部材６は、容器１内に容器１と同軸上に配置されており、内周面１ｄに対して摺動可能である。内側部材６は、周方向にＳ極６ｓとＮ極６ｎとが交互に配置された多極の磁石であり、例えば永久磁石である。
【００１９】
容器１は、容器１と内側部材６との相対回転を規制し、かつ内側部材６を軸方向に案内する案内部９を有する。案内部９は、容器１の内周面１ｄに形成された凸部であり、軸方向に延在している。案内部９は、例えば、容器１の軸方向の一端から他端まで設けられる。内側部材６は、案内部９と係合する溝部６ａを有する。溝部６ａは、内側部材６の外周面に形成されており、内側部材６の軸方向の一端から他端まで設けられている。案内部９と溝部６ａとの間には、容器１と内側部材６との軸方向の相対移動を許容する隙間が設けられることが好ましい。また、案内部９と溝部６ａとの間の隙間の大きさは、内側部材６と容器１との相対回転を規制し、または微小な相対回転を許容する程度であることが好ましい。
【００２０】
清掃部材７は、内側部材６と接続されている。本実施形態では、清掃部材７は、連結部材１２を介して内側部材６と接続されている。連結部材１２は、柱部１２ａと円筒部１２ｂとを有する。柱部１２ａは、内側部材６の内周面と接続されており、内側部材６の内周面から径方向内側に向けて突出している。円筒部１２ｂは、柱部１２ａにおける径方向内側の先端に接続されている。円筒部１２ｂは、円筒形状であり、その中心軸線は、内側部材６の中心軸線と平行である。清掃部材７は、円筒部１２ｂの内周面に固定されている。つまり、清掃部材７は、円筒部１２ｂの内周面と保護管４の外周面との間に挟まれている。
【００２１】
外側部材８は、容器１の外周面１ａに配置され、かつ磁石を有し、内側部材６との間で作用する磁力によって内側部材６を軸方向に移動させる。外側部材８は、例えば、筒状の部材であり、本実施形態では、円筒形状の部材である。外側部材８は、容器１の外部に容器１と同軸上に配置されており、外周面１ａに対して摺動可能である。外側部材８は、周方向にＳ極８ｓとＮ極８ｎとが交互に配置された多極の磁石であり、例えば永久磁石である。
【００２２】
内側部材６および外側部材８は、容器１を挟んで互いに異なる極が径方向において対向する。すなわち、内側部材６のＳ極６ｓと外側部材８のＮ極８ｎとが容器１の壁部を挟んで径方向において互いに対向している。また、内側部材６のＮ極６ｎと外側部材８のＳ極８ｓとが容器１の壁部を挟んで径方向において互いに対向している。従って、内側部材６と外側部材８とは、磁力によって互いに吸引される。
【００２３】
容器１は、突起部１１を有する。突起部１１は、容器１の外周面１ａに形成された凸部であり、軸方向に延在している。突起部１１は、例えば、容器１の軸方向の一端から他端まで設けられる。外側部材８は、突起部１１と係合する溝部１０を有する。溝部１０は、外側部材８の内周面に形成されており、外側部材８の軸方向の一端から他端まで設けられている。突起部１１と溝部１０との間には、容器１と外側部材８との軸方向の相対移動を許容する隙間が設けられることが好ましい。また、突起部１１と溝部１０との間の隙間の大きさは、外側部材８と容器１との相対回転を規制し、または微小な相対回転を許容する程度であることが好ましい。突起部１１と溝部１０とで構成されるスライダ機構が設けられていることで、外側部材８の可動が容易となる。
【００２４】
本実施形態の紫外線照射装置１−１では、外側部材８が容器１の外周面１ａに沿って軸方向に移動することにより、内側部材６を軸方向に移動させる。外側部材８は、内側部材６のＳ極６ｓと外側部材８のＮ極８ｎとの間の吸引力、および内側部材６のＮ極６ｎと外側部材８のＳ極８ｓとの間の吸引力によって内側部材６を駆動し、内側部材６を軸方向に移動させる。内側部材６が軸方向に移動すると、内側部材６と接続された清掃部材７が軸方向に移動し、保護管４の外周面を清掃する。このように、磁力によって清掃部材７を軸方向に移動させる機構であるため、保護管４を清掃する清掃機構を簡素化することや、低コスト化することが可能となる。
【００２５】
従来、保護管４を清掃する機構として、容器１の中心部に配置された回転軸によって清掃部材７を支持し、回転軸を外部から回転させることで清掃部材７を駆動させるものが知られている。こうした機構では、回転軸の保持・駆動機能と、容器１のシール機能とを兼ね備えた部品が必要である。しかしながら、保持・駆動のベアリング構造とシール構造を兼ね備えた部品は特殊であり、高価なものである。また、シール部分が存在することにより、耐圧性能の低下や水漏れ等の問題が発生することがある。また、回転軸の曲がりや軸ずれ、ねじれ等が発生すると、清掃が困難となる。
【００２６】
本実施形態の紫外線照射装置１−１によれば、内側部材６と外側部材８とを機械的に接続する機構が不要であるため回転軸によって清掃部材７を駆動する場合のようなベアリング構造やシール構造が不要である。よって、保護管４を清掃する清掃機構を簡素化することができる。また、清掃機構がシール部分を有しないため、耐圧性能の低下や水漏れの発生が抑制される。また、回転軸の曲がりや軸ずれ、ねじれ等の問題がない。容器１内に回転軸を有する清掃機構に対して、本実施形態に係る清掃機構は、紫外線ランプ５の長尺化に容易に対応可能である。
【００２７】
外側部材８の軸方向の移動は、モータ等のアクチュエータによってなされても、手動でなされてもよい。外側部材８の軸方向の移動範囲は、紫外線ランプ５における紫外線を照射する部分の軸方向の範囲に対応している。保護管４における少なくとも紫外線ランプ５の発光部を保護している部分を清掃可能なように、外側部材８の移動範囲が定められることが望ましい。
【００２８】
外側部材８の軸方向の移動範囲は、例えば、図１に矢印Ｙ１で示すように、供給管２と排出管３との間の範囲とされてもよい。内側部材６の軸方向の移動範囲は、矢印Ｙ２に示すように、外側部材８の移動範囲Ｙ１と同様のものとなる。アクチュエータによって外側部材８を駆動する場合、予め定められたスケジュールに基づいて定期的に保護管４の清掃がなされてもよい。
【００２９】
外側部材８は、供給管２よりも入口側や排出管３よりも出口側まで移動可能な形状とされてもよい。図５は、外側部材の他の一例を示す断面図である。図５に示す外側部材１３は、切欠部１４を有する。切欠部１４は、外側部材１３が軸方向に移動するときに供給管２および排出管３が通過可能なものである。切欠部１４が設けられていることで、外側部材１３の断面形状は、一部が途切れたリング形状あるいはＣ字形状となっている。外側部材１３の断面形状における周方向の端部間の距離Ｗ１、言い換えると、外側部材１３を切り欠くことにより形成された通路部の幅は、供給管２および排出管３の幅Ｗ２よりも大きい。つまり、外側部材１３の端部間の距離Ｗ１は、供給管２および排出管３が通過可能な大きさである。切欠部１４を有する外側部材１３は、容器１の軸方向の一端から他端まで移動可能である。
【００３０】
なお、内側部材６が容器１の内周面１ｄに沿って動くため、容器１の内周面１ｄの潤滑性を高める処理がなされてもよい。例えば、内周面１ｄの鏡面処理や、内周面１ｄに対するコーティング処理等により内側部材６との摩擦係数を低減するようにしてもよい。また、内側部材６の外周面に対して、容器１の内周面１ｄに対する処理と同様の処理がなされてもよい。
【００３１】
内側部材６は被処理水と接触するため、内側部材６を保護する塗装等の処理がなされてもよい。
【００３２】
なお、本実施形態では、内側部材６および外側部材８がそれぞれ多極の磁石であったが、これに代えて、内側部材６や外側部材８は、２層構造の磁石であってもよい。例えば、内側部材６および外側部材８は、径方向の内側がＮ極、外側がＳ極のドーナツ状の磁石であってもよい。
【００３３】
外側部材８や内側部材６の磁石は、周方向において複数に分割されていてもよい。磁石を分割して配置することにより、外側部材８や内側部材６の軽量化等を実現することができる。複数の磁石は、周方向において均等に等間隔で配置されることが好ましい。例えば外側部材８や内側部材６の有する磁石の数が２つである場合、２つの磁石が、容器１の中心軸線を挟んで対称となる位置に配置されてもよい。外側部材８の磁石の極と、内側部材６の磁石の極とは径方向において互いに対向する位置に配置される。各磁石は、連結部材等により互いに連結されて外側部材８や内側部材６を構成する。
【００３４】
［第１実施形態の変形例］
第１実施形態の変形例について説明する。図６は、第１実施形態の変形例に係る紫外線照射装置の側面図（断面図）、図７は、第１実施形態の変形例に係る紫外線照射装置の要部を示す断面図である。本変形例に係る紫外線照射装置１−２において、上記第１実施形態の紫外線照射装置１−１と異なる点は、外側部材１８の磁石と内側部材６の磁石との反発力によって、内側部材６を軸方向に移動させる点である。
【００３５】
図７に示すように、外側部材１８は、周方向にＳ極１８ｓとＮ極１８ｎとが交互に配置された多極の磁石である。内側部材６および外側部材１８は、容器１を挟んで同じ極が径方向において対向する。すなわち、内側部材６のＳ極６ｓと外側部材１８のＳ極１８ｓとが容器１の壁部を挟んで径方向において互いに対向している。また、内側部材６のＮ極６ｎと外側部材１８のＮ極１８ｎとが容器１の壁部を挟んで径方向において互いに対向している。つまり、内側部材６のＳ極６ｓと外側部材１８のＳ極１８ｓとは容器１の中心軸線に関して同じ回転角度の方向に位置しており、内側部材６のＮ極６ｎと外側部材１８のＮ極１８ｎとは容器１の中心軸線に関して同じ回転角度の方向に位置している。
【００３６】
従って、内側部材６と外側部材１８とは、磁力によって反発し合う。外側部材１８を軸方向に移動させることにより、磁力による反発力で内側部材６を軸方向に移動させることができる。例えば、内側部材６を軸方向の入口側に向けて移動させる場合、外側部材１８を内側部材６よりも出口側に位置させた状態から、外側部材１８を入口側に向けて移動させる。外側部材１８と内側部材６とをこのような位置関係とするために、容器１の内周面１ｄに内側部材６の出口側の可動限界を規定するストッパ等の出口側規制部が設けられてもよい。出口側規制部により、内側部材６の出口側への移動を規制した状態で、外側部材１８を内側部材６よりも出口側に移動させることができる。
【００３７】
内側部材６を軸方向の出口側に向けて移動させる場合、外側部材１８を内側部材６よりも入口側に位置させた状態から、外側部材１８を出口側に向けて移動させる。外側部材１８と内側部材６とをこのような位置関係とするために、容器１の内周面１ｄに内側部材６の入口側の可動限界を規定するストッパ等の入口側規制部が設けられてもよい。入口側規制部により、内側部材６の入口側への移動を規制した状態で、外側部材１８を内側部材６よりも入口側に移動させることができる。
【００３８】
なお、本変形例に係る紫外線照射装置１−２は、内側部材６の軸方向の位置を検出する検出装置を有することが好ましい。例えば、内側部材６の磁石の磁力を利用して内側部材６の軸方向の位置を検出するようにしてもよい。
【００３９】
［第２実施形態］
図８を参照して、第２実施形態について説明する。以降の実施形態については、上記第１実施形態で説明したものと同様の機能を有する構成要素には同一の符号を付して重複する説明は省略する。図８は、第２実施形態に係る紫外線照射装置の側面図（断面図）である。本実施形態に係る紫外線照射装置１−３において、上記第１実施形態の紫外線照射装置１−１および上記第１実施形態の変形例の紫外線照射装置１−２と異なる点は、リニア駆動により内側部材６を移動させる点である。
【００４０】
図８に示すように、外側部材２８は、軸方向に連続的に配置された複数の磁石２９，３０，３１，３２，３３，３４を有している。各磁石２９，３０，３１，３２，３３，３４は、電磁石であり、それぞれ極部２８ａ，２８ｂ，２８ｃ，２８ｄ，２８ｅ，２８ｆの極（磁極）を制御することができる。外側部材２８は、例えば、図示しない制御装置によって制御される。なお、極部２８ａ，２８ｂ，２８ｃ，２８ｄ，２８ｅ，２８ｆは、それぞれの磁石２９，３０，３１，３２，３３，３４において周方向に複数配置されている。
【００４１】
内側部材２６は、上記第１実施形態に係る内側部材６と同様の多極の磁石を一対軸方向に隣接して配置したものである。内側部材２６では、軸方向において隣接する極２６ａと極２６ｂとが互いに異なる極となっている。外側部材２８の極部２８ａ，２８ｂ，２８ｃ，２８ｄ，２８ｅ，２８ｆは、容器１の中心軸線に関して内側部材２６の極２６ａ，２６ｂと同じ回転角度の方向に位置している。従って、内側部材２６が移動する際に、内側部材２６の極２６ａ，２６ｂは、それぞれ外側部材２８の極部２８ａ，２８ｂ，２８ｃ，２８ｄ，２８ｅ，２８ｆと径方向において対向する位置を通過する。
【００４２】
外側部材２８は、各極部２８ａ，２８ｂ，２８ｃ，２８ｄ，２８ｅ，２８ｆにＮ極あるいはＳ極を発生させることができる。各極部２８ａ，２８ｂ，２８ｃ，２８ｄ，２８ｅ，２８ｆの磁極は、それぞれ独立して制御可能である。これにより、外側部材２８は、各極部２８ａ，２８ｂ，２８ｃ，２８ｄ，２８ｅ，２８ｆと内側部材２６の極２６ａ，２６ｂとの間に吸引あるいは反発の磁力を発生させ、その磁力により内側部材２６を軸方向に移動させることができる。外側部材２８は、内側部材２６の軸方向の移動に応じて各極部２８ａ，２８ｂ，２８ｃ，２８ｄ，２８ｅ，２８ｆの磁極を変化させることで、継続的に内側部材２６に対して同じ移動方向の駆動力を作用させることができる。
【００４３】
なお、外側部材２８は、内側部材２６の軸方向の移動範囲に応じて設けられるものである。すなわち、外側部材２８は、内側部材２６の軸方向の移動範囲の一端から他端まで配置される。
【００４４】
［第３実施形態］
図９および図１０を参照して、第３実施形態について説明する。図９は、第３実施形態に係る紫外線照射装置の斜視図、図１０は、第３実施形態に係る紫外線照射装置の側面図（断面図）である。図１０は、容器１の中心軸線と直交し、かつ供給管４２および排出管４３の中心軸線を含む断面を示している。本実施形態に係る紫外線照射装置１−４において、上記各実施形態および変形例の紫外線照射装置１−１，１−２，１−３と異なる点は、供給管４２と排出管４３とが容器１の異なる回転角度の位置に接続されている点である。本実施形態では、供給管４２と排出管４３とは容器１を挟んで一直線上に配置されており、容器１と供給管４２と排出管４３とが＋形状をなしている。
【００４５】
図１０に示すように、供給管４２の外径および排出管４３の外径は、それぞれ容器１の外径よりもわずかに小さい。矢印Ｙ３は、供給管４２を介して容器１内に供給される被処理水の流れ方向を示し、矢印Ｙ４は、容器１内から排出管４３に排出される被処理水の流れ方向を示す。
【００４６】
紫外線照射装置１−４は、第一内側部材４６、第二内側部材４７、第一外側部材４８および第二外側部材４９を有する。内側部材４６，４７および外側部材４８，４９は、それぞれ断面形状が円弧形状である。第一内側部材４６と第二内側部材４７とは、容器１の中心軸線を挟んで互いに対向するように配置されている。内側部材４６，４７は、それぞれ容器１の軸方向に移動する際に、供給管４２や排出管４３に引っ掛からないように形成されることが望ましい。本実施形態の内側部材４６，４７は、図１０に示すように、容器１の内周面１ｄにおける境界１ｅから境界１ｆまでの円弧に合わせて形成されている。境界１ｅは、内周面１ｄにおける供給管４２の内周面４２ｄとの境界であり、境界１ｆは、内周面１ｄにおける排出管４３の内周面４３ｄとの境界である。
【００４７】
これにより、内側部材４６，４７は、内周面１ｄに沿って容器１の軸方向に移動するときに、供給管４２の内周面４２ｄや排出管４３の内周面４３ｄと接触することが抑制される。なお、容器１は、上記第１実施形態の紫外線照射装置１−１（図４参照）の案内部９と同様の案内部を有することが好ましく、内側部材４６，４７は、上記第１実施形態の紫外線照射装置１−１の溝部６ａと同様の溝部を有することが好ましい。
【００４８】
第一内側部材４６と第二内側部材４７とは、連結部材５０を介して連結されている。これにより、第一内側部材４６と第二内側部材４７とは一体となって軸方向に移動することができる。連結部材５０は、第一内側部材４６に接続された第一柱部５０ａと、第二内側部材４７に接続された第二柱部５０ｂと、円筒部５０ｃとを有する。第一柱部５０ａと第二柱部５０ｂとは、円筒部５０ｃを介して接続されている。円筒部５０ｃは、上記第１実施形態の紫外線照射装置１−１（図４参照）の円筒部１２ｂと同様のものである。清掃部材７は、円筒部５０ｃの内周面に固定されている。
【００４９】
第一外側部材４８は、容器１の壁部を挟んで径方向において第一内側部材４６と対向する位置に設けられている。第二外側部材４９は、容器１の壁部を挟んで径方向において第二内側部材４７と対向する位置に設けられている。外側部材４８，４９は、それぞれ容器１の軸方向に移動する際に、供給管４２や排出管４３に引っ掛からないように形成されることが望ましい。本実施形態の外側部材４８，４９は、図１０に示すように、容器１の外周面１ａにおける境界１ｇから境界１ｈまでの円弧に合わせて形成されている。境界１ｇは、外周面１ａにおける供給管４２の外周面４２ａとの境界であり、境界１ｈは、外周面１ａにおける排出管４３の外周面４３ａとの境界である。
【００５０】
これにより、外側部材４８，４９は、外周面１ａに沿って容器１の軸方向に移動するときに、供給管４２の外周面４２ａや排出管４３の外周面４３ａと接触することが抑制される。なお、容器１は、上記第１実施形態の紫外線照射装置１−１（図４参照）の突起部１１と同様の突起部を有することが好ましく、外側部材４８，４９は、上記第１実施形態の紫外線照射装置１−１の溝部１０と同様の溝部を有することが好ましい。
【００５１】
第一外側部材４８は、磁石を有し、第一内側部材４６が有する磁石との間で作用する磁力によって第一内側部材４６を容器１の軸方向に移動させる。第二外側部材４９は、磁石を有し、第二内側部材４７が有する磁石との間で作用する磁力によって第二内側部材４７を容器１の軸方向に移動させる。
【００５２】
このように、第一外側部材４８と第二外側部材４９が周方向の離れた位置に配置される場合、第一外側部材４８と第二外側部材４９とを同期して軸方向に移動させることが望ましい。例えば、紫外線照射装置１−４が、第一外側部材４８を軸方向に移動させるアクチュエータと、第二外側部材４９を軸方向に移動させるアクチュエータとを備える場合、２つのアクチュエータを同期して作動させることにより、２つの外側部材４８，４９の軸方向の位置を一致させるようにしてもよい。また、供給管４２や排出管４３と干渉しない連結部材により第一外側部材４８と第二外側部材４９とが連結されてもよい。
【００５３】
上記の各実施形態および変形例に開示された内容は、適宜組み合わせて実行することができる。
【００５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許に記載された発明とその均等の範囲に含まれるものである。
【符号の説明】
【００５５】
１−１，１−２，１−３，１−４  紫外線照射装置
１  容器
１ａ  外周面
１ｂ  入口側壁部
１ｃ  出口側壁部
１ｄ  内周面
２  供給管
３  排出管
４  保護管
５  紫外線ランプ
６，２６  内側部材
６ｎ  Ｎ極
６ｓ  Ｓ極
７  清掃部材
８，１３，１８，２８  外側部材
８ｎ  Ｎ極
８ｓ  Ｓ極
９  案内部
１０  溝部
１１  突起部
１２  連結部材
１４  切欠部
【図１】
2014061491.tif 000003
【図２】
2014061491.tif 000004
【図３】
2014061491.tif 000005
【図４】
2014061491.tif 000006
【図５】
2014061491.tif 000007
【図６】
2014061491.tif 000008
【図７】
2014061491.tif 000009
【図８】
2014061491.tif 000010
【図９】
2014061491.tif 000011
【図１０】
2014061491.tif 000012